(57)【要約】【課題】複数人の同時観察が可能な画像表示装置において、観察者の要望に応じた画像表示が可能な画像表示装置を提供する。【解決手段】本発明の画像表示装置１は、複数の領域に分割可能な画像表示部２０と、前記画像表示部２０を観察する観察者の数及び位置を検出する検出部４０，５１ｂと、前記検出部４０，５１ｂによって検出された観察者の数及び位置に対応させて前記画像表示部２０，２０Ａを複数の領域に分割する領域分割部５１ｃと、前記分割された領域ごとに画像を表示する表示制御部５１ａと、前記分割された領域のうちの第１の領域に対応していた第１観察者が、前記検出部４０，５１ｂにより所定時間検出されなくなった場合、前記第１の領域においてスクリーンセーバを起動させる第１制御を行なうスクリーンセーバ制御部５１ｄと、を備えることを特徴とする。【選択図】図６
2014048565.tif 000002
【特許請求の範囲】
【請求項１】
複数の領域に分割可能な画像表示部と、
前記画像表示部を観察する観察者の数及び位置を検出する検出部と、
前記検出部によって検出された観察者の数及び位置に対応させて前記画像表示部を複数の領域に分割する領域分割部と、
前記分割された領域ごとに画像を表示する表示制御部と、
前記分割された領域のうちの第１の領域に対応していた第１観察者が、前記検出部により所定時間検出されなくなった場合、前記第１の領域においてスクリーンセーバを起動させる第１制御を行なうスクリーンセーバ制御部と、
を備えることを特徴とする画像表示装置。
【請求項２】
請求項１に記載の画像表示装置であって、
前記スクリーンセーバ制御部は、
前記スクリーンセーバの起動後の時間を計時する計時部を有し、
前記領域分割部は、前記スクリーンセーバの起動後の時間が一定時間を超えても前記第１観察者が検出されない場合、前記検出部により現在検出されている観察者の数及び位置に対応させて前記領域の分割を再度行なうこと、
を特徴とする画像表示装置。
【請求項３】
請求項１または２に記載の画像表示装置であって、
前記検出部が、前記スクリーンセーバの起動中に、前記第１の領域に対応して第２観察者を検出し、且つ、前記第２観察者と前記第１観察者とが異なると判断した場合、
前記スクリーンセーバ制御部は、前記スクリーンセーバを停止させ、
前記表示制御部は、前記第１の領域に前記第２観察者に対応させた画像を表示すること、
を特徴とする画像表示装置。
【請求項４】
請求項１から３のいずれか１項に記載の画像表示装置であって、
前記スクリーンセーバを起動させるか否かを観察者ごとに選択可能な選択部を備えること、
を特徴とする画像表示装置。
【請求項５】
請求項１から４のいずれか１項に記載の画像表示装置であって、
前記画像表示部は、球面又は平面であること、
を特徴とする画像表示装置。
【発明の詳細な説明】
【技術分野】
【０００１】
本発明は、画像表示装置に関するものである。
【背景技術】
【０００２】
デジタル画像等を表示する画像表示装置として、半球状の全周囲型の表示装置が知られている。このような半球状の表示装置として、観察者の位置に応じて画像を表示し、観察者の人数に応じた分割領域ごとに画像を表示するものがある。
一方、コンピュータ等の表示装置においては、観察者が離席した場合に、画面の焼き付き防止やセキュリティ上の観点から、スクリーンセーバと呼ばれるプログラムが自動的に起動できるようになっている。しかし、従来のスクリーンセーバは一画面の適用が前提となっている。
また、複数に分割された個別領域について電力消費を抑制するように制御する技術も開示されている（例えば特許文献１参照）。
【先行技術文献】
【特許文献】
【０００３】
【特許文献１】特開２００３−１１７１５２号公報
【発明の概要】
【発明が解決しようとする課題】
【０００４】
しかし、この個別領域についての電力消費抑制に関する従来技術は、制御領域が固定されている。このため、全周囲表示装置のように利用者の位置が不特定となる場合には対応できない。
【０００５】
本発明の課題は、複数人の同時観察が可能な画像表示装置において、観察者の要望に応じた画像表示が可能な画像表示装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、複数の領域に分割可能な画像表示部（２０，２０Ａ）と、前記画像表示部（２０，２０Ａ）を観察する観察者の数及び位置を検出する検出部（４０，５１ｂ）と、前記検出部（４０，５１ｂ）によって検出された観察者の数及び位置に対応させて前記画像表示部（２０，２０Ａ）を複数の領域に分割する領域分割部（５１ｃ）と、前記分割領域ごとに画像を表示する表示制御部（５１ａ）と、前記分割された領域のうちの第１の領域に対応していた第１観察者が、前記検出部（４０，５１ｂ）により所定時間検出されなくなった場合、前記第１の領域においてスクリーンセーバを起動させる第１制御を行なうスクリーンセーバ制御部（５１ｄ）と、を備えることを特徴とする画像表示装置（１）である。
請求項２に記載の発明は、請求項１に記載の画像表示装置（１）であって、前記スクリーンセーバ制御部（５１ｄ）は、前記スクリーンセーバの起動後の時間を計時する計時部（５１ｅ）を有し、前記領域分割部（５１ｃ）は、前記スクリーンセーバの起動後の時間が一定時間を超えても前記第１観察者が検出されない場合、前記検出部（４０，５１ｂ）により現在検出されている観察者の数及び位置に対応させて前記領域の分割を再度行なうこと、を特徴とする画像表示装置（１）である。
請求項３に記載の発明は、請求項１または２に記載の画像表示装置（１）であって、前記検出部（４０，５１ｂ）が、前記スクリーンセーバの起動中に、前記第１の領域に対応して第２観察者を検出し、且つ、前記第２観察者と前記第１観察者とが異なると判断した場合、前記スクリーンセーバ制御部（５１ｄ）は、前記スクリーンセーバを停止させ、前記表示制御部（５１ａ）は、前記第１の領域に前記第２観察者に対応させた画像を表示すること、を特徴とする画像表示装置（１）である。
請求項４に記載の発明は、請求項１から３のいずれか１項に記載の画像表示装置（１）であって、前記スクリーンセーバを起動させるか否かを観察者ごとに選択可能な選択部（１０１）を備えること、を特徴とする画像表示装置（１）である。
請求項５に記載の発明は、請求項１から４のいずれか１項に記載の画像表示装置（１）であって、前記画像表示部（２０，２０Ａ）は、球面又は平面であること、を特徴とする画像表示装置（１）である。
【発明の効果】
【０００７】
本発明によると、複数人の同時観察が可能な画像表示装置において、観察者の要望に応じた画像表示が可能な画像表示装置を提供することができる。
【図面の簡単な説明】
【０００８】
【図１】本発明の第１実施形態である画像表示装置の外観斜視図である。
【図２】画像表示装置の概念的な縦断面図である。
【図３】画像表示装置の機能ブロック構成図である。
【図４】画像投影部における表示素子およびバックライトの説明図である。
【図５】画像撮影部で撮影された画像の例である。
【図６】スクリーンに表示された画像を示したものであり、（ａ）は、人物が一人観察している場合、（ｂ）は、人物が二人観察している場合、（ｃ）は、人物が三人観察している場合である。
【図７】第２実施形態を説明する図である。
【発明を実施するための形態】
【０００９】
（第１実施形態）
以下、図面等を参照して、本発明の実施形態について説明する。
図１は、本発明の第１実施形態の画像表示装置１の外観斜視図である。図２は、画像表示装置１の概念的な縦断面図である。図３は、画像表示装置１の機能ブロック構成図である。
【００１０】
画像表示装置１は、半球状のスクリーン２０の周方向全周（周囲３６０°）に画像を表示可能な表示装置である。
図１から図３に示すように、画像表示装置１は、直方体状の中空部材である基部筐体１Ａに、表示部１０と、画像撮影部４０と、制御装置５０と、を備えて構成されている。
表示部１０は、スクリーン２０と、画像投影部３０と、を備えている。
スクリーン２０は、所定厚さの透明素材（アクリル等の樹脂やガラス）によって中空半球面体のドーム状に形成され、その内周面に、内部から照射される画像光を乱反射するスクリーン層（図示せず）を備えている。
【００１１】
また、スクリーンの外周面には、タッチパネル２１（図３参照、図１および２には示さず）も設けられている。
タッチパネル２１は、観察者がスクリーン２０の表面を指で接触することによって、画像表示装置１を操作するための操作信号を出力する。タッチパネル２１は、後述する画像投影部３０による画像の投影範囲（スクリーン２０の表示領域）上に格子状に区切られた微細な入力領域を有しており、観察者がこのタッチパネル２１上を指やタッチペンで接触（タッチ操作、なぞり操作）すると接触位置にある入力領域がオンされる。
タッチパネル２１は、オンされた入力領域のタッチパネル２１上における位置を特定する情報、たとえば座標値をタッチパネル２１の操作信号として後述する制御回路５１へ出力する。
【００１２】
画像投影部３０は、投影レンズ３１と、表示素子３２と、バックライト３３と、投影駆動部３４とが一体に構成され、基部筐体１Ａの内部の、スクリーン２０の半球面体の中心軸上付近に配置されている。
投影レンズ３１は、たとえば投影角がほぼ１８０°の魚眼レンズであり、後述する表示素子３２が生成した光像をスクリーン２０の内壁面に向けて投影する。
表示素子３２は、たとえば透過型の液晶パネル等により構成され、投影駆動部３４からの駆動信号によって駆動されて、画素ごとの液晶層の光の透過率を変化させた画像を形成する。
【００１３】
図４は画像投影部における表示素子およびバックライトの説明図である。バックライト３３は、図４に示すように、基板３３ｂ上に複数のＬＥＤ３３ａを全体として均一な発光量の面光源となるように二次元に配列して構成されている。
バックライト３３は、表示素子３２の背面側に、表示素子３２に照射光を照射するように隣接して配設されている。そして、バックライト３３は、制御装置５０における制御回路５１からの制御信号に応じて投影駆動部３４により供給される電流に応じた明るさで、表示素子３２を照明する。
【００１４】
投影駆動部３４は、後述する制御回路５１からの制御信号に応じて、表示素子３２を制御駆動（画像処理部５１ａにより生成された投影画像データに応じて表示素子３２の駆動信号を生成）する。また、投影駆動部３４は、制御回路５１からの制御信号に応じてバックライト３３を制御駆動する。
【００１５】
上記構成の画像投影部３０は、制御回路５１からの情報に基づいて投影駆動部３４によって制御駆動され、バックライト３３の照明光を表示素子３２が画像信号に応じて変調して光像を生成し、その光像を投影レンズ３１がスクリーン２０の内壁面の略全域（後述する画像撮影部４０におけるＰＡＬレンズ４１部分を除いて）に投影する。
【００１６】
そして、上記スクリーン２０と画像投影部３０とから成る表示部１０は、画像投影部３０から投影された光像を、スクリーン２０が、内周面のスクリーン層で画像投影部３０から投影された光像を外部から観察可能な画像として表示する。
【００１７】
画像撮影部４０は、画像表示装置１の外部を全方位（水平方向に３６０度）撮影可能な光学系、たとえばＰＡＬ（Ｐａｎｏｒａｍｉｃ  Ａｎｎｕａｌ  Ｌｅｎｓ）を備える小型カメラであり、スクリーン２０の半球面体の頂部に設けられている。
画像撮影部４０は、ＰＡＬレンズ４１と、撮影レンズ４２と、撮像素子４３とを備えている。
【００１８】
ＰＡＬレンズ４１は、たる型の透明体からなり、一点鎖線で示す軸線Ｚのまわりに凸形状に形成された外周面４１ａと、上端面４１ｂと下端面４１ｃとを有している。上端面４１ｂは凹状の湾曲面で、透明体内を通過してこの到達する光に対しては凸形状の反射面として作用する。下端面４１ｃは軸線Ｚと垂直な平面で、透明体内を通過してこの面に到達する光に対してレンズ面（屈折面）として作用する。
【００１９】
外周面４１ａは軸線Ｚと垂直な平面によって、上方外周面４１ｒと下方外周面４１ｍとに分割され、上方外周面４１ｒは周囲の３次元像が入射する面でレンズ面（屈折面）として作用し、下方外周面４１ｍは上方外周面４１ｒから入射し透明体内を通過してこの面に到達する光に対して凹面状の反射面として作用する。
【００２０】
上記構成のＰＡＬレンズ４１では、その周囲の３６０度の円筒空間Ｐの３次元像は、上方外周面４１ｒのなす空間角の幅で取り込まれる。上方外周面４１ｒを通ってＰＡＬレンズ４１内に入射した光は、対向する下方外周面４１ｍで反射して、次に上端面４１ｂで反射して、下端面４１ｃより射出される。このとき、下端面４１ｃから射出された光束はＰＡＬレンズ４１内に虚像を結ぶ。
【００２１】
撮影レンズ４２は、たとえばリレーレンズにより構成され、後述するようにＰＡＬレンズ４１により虚像を結んだ画像表示装置１の周囲の３６０度方向からの光束を正立像として撮像素子４３に結像させる。
撮像素子４３は、たとえばＣＣＤやＣＭＯＳ等により構成され、ＰＡＬレンズ４１および撮影レンズ４２を介して撮像面に結像した像を撮像して、画像信号をケーブル６０を介して後述する制御装置５０に出力する。
また、上記画像撮影部４０は、画像投影部３０からスクリーン２０へ画像投影を極力妨げないように小型に構成されている。
【００２２】
制御装置５０は、図３に示すように、制御回路５１と、画像メモリ５２と、外部インタフェース５３と、カードインタフェース５４と有している。
制御回路５１は、図示しないＣＰＵ、ＲＯＭ、ＲＡＭなどを有し、制御プログラムに基づいて、画像表示装置１の各構成要素を制御したり、各種のデータ処理を実行する演算回路である。制御プログラムは、制御回路５１内の不図示の不揮発性メモリに格納されている。制御回路５１は、画像撮影部４０および表示部１０（画像投影部３０）の駆動を制御する。
【００２３】
制御回路５１は、画像処理部５１ａと、人物検出部５１ｂと、領域分割部５１ｃと、スクリーンセーバ制御部５１ｄと、を機能的に備える。
画像処理部５１ａは、画像撮影部４０から入力した画像信号に対して種々の画像処理を行なう。また、画像処理部５１ａは、画像メモリ５２に記録されている画像データに基づいて、表示部１０による表示画像データ（画像投影部３０によりスクリーン２０に画像を投影するための投影画像データ）を生成する。
人物検出部５１ｂは、公知の顔検出処理等により、画像表示装置１の外部周辺の人物（観察者）の人数及び位置等を検出する。
領域分割部５１ｃは、人物検出部５１ｂの検出結果に基づいて、スクリーン２０の領域を分割する。
スクリーンセーバ制御部５１ｄは、計時部５１ｅを有し、人物検出部５１ｂにより人物が所定時間検出されない場合、スクリーンを黒くしたり、簡単なアニメーションを表示したりするスクリーンセーバ制御を行なう。スクリーンセーバ制御は、画面に表示されている文字などや、その画像が画面に焼きつくのを防止するためのものであり、また、画像表示装置１の使用者が席を離れる際、画像表示装置１を他人に利用されるのを防止する機能も有する。
【００２４】
なお、このスクリーンセーバ制御は、制御部５１に接続されたスイッチ１０１（図３）の操作によってオンオフが選択できるようになっている。この選択は、例えば、人物ごとにそれぞれ可能である。
【００２５】
外部インタフェース５３は、たとえば画像表示装置１に電子カメラやパーソナルコンピュータなどの外部機器を接続するＵＳＢインタフェースである。画像表示装置１は、外部インタフェース５３を介して外部機器から画像ファイルなどを入力する。カードインタフェース５４は、メモリカード７０が着脱可能なインタフェースである。カードインタフェース５４は、制御回路５１の制御に基づいて、画像ファイルをメモリカード７０に書き込んだり、メモリカード７０に記録されている画像ファイルを読み出すインタフェース回路である。メモリカード７０はコンパクトフラッシュ（登録商標）やＳＤカードなどの半導体メモリカードである。
【００２６】
画像メモリ５２は、たとえばハードディスク等の不揮発性メモリである。画像メモリ５２には、外部インタフェース５３やカードインタフェース５４を介して外部機器やメモリカード７０から入力した画像ファイルなどが記録されている。
【００２７】
上記のように構成された制御装置５０は、観察者による前述したタッチパネル２１の操作入力に基づいて、投影駆動部３４を制御して記録媒体等（画像メモリ５２、外部インタフェース５３を介した外部機器、カードインタフェース５４に接続されたメモリカード等）が保持する種々画像を表示部１０におけるスクリーン２０に表示する。また、画像撮影部４０によって画像表示装置１の外部周辺を撮像し、その撮像をスクリーン２０に表示し、指令に応じて記録媒体等に記録する。
本実施形態において、スクリーン２０は図１に示すように円周方向に複数（本実施形態ではＲ１からＲ８の８つ）の領域に分割されている。
【００２８】
本実施形態によると、上述の画像撮影部４０で撮影された画像は図５のようになる。
この画像を、画像処理部５１ａが画像処理し、処理画像は人物検出部５１ｂによって解析され、画角内に人物が存在するか否かが判定される。人物検出部５１ｂは、人物が存在する場合、さらに、その人数と座標を算出する。例えば、図５の場合は、人物Ａが一人、１８０°の位置にいると算出される。
算出された座標と人数に基づいて、領域分割部５１ｃは、スクリーン２０の領域を分割し、画像投影部３０に指示し、分割領域ごとに、スクリーン２０上において人物Ａが存在する位置に最も近い位置を中心として画像を表示させる。
【００２９】
図６は、スクリーン２０に表示された画像を示したものである。
図６（ａ）は、図５に示すように人物Ａが一人で観察している場合のスクリーン表示例である。この場合、人物Ａに最も近いスクリーン上の位置ａを中心として画像（インターフェース）が１組表示される。
【００３０】
図６（ｃ）は、人物Ａと、画像表示装置１を挟んで人物Ａと対面する人物Ｂが観察している場合である。
この場合、領域分割部５１は、人物Ａ、Ｂが存在する位置ａとａ’とを結んで、スクリーンの中心Ｏを通る曲線ａ−ａ’とスクリーンの中心Ｏで直交する曲線ｂ−ｂ’（太い鎖線）に沿ってスクリーンを分割する。
そして、画像処理部５１ａは、分割された一方の領域（Ｒ１からＲ４）に、人物Ａに対する画像（インターフェース）を表示し、分割された他方の領域（Ｒ５からＲ８）に、人物Ｂに対する画像（インターフェース）を表示する。
【００３１】
図６（ｅ）は、人物Ａと人物Ｂがスクリーンを観察しているときに、人物Ｃが位置ｂに加わった場合の表示例である。
この場合、画像表示装置１は、人物Ｃを画像撮影部４０により撮影し、画像処理部５１ａ及び人物検出部５１ｂが、人物Ｃの存在及び位置を検出する。領域分割部５１ｃは人物Ａ及び人物Ｂの表示領域を狭めて、表示領域の新しい境界線を構成し、人物Ｃの前に新たに領域（Ｒ４，Ｒ５）を確保して、画像処理部５１ａは個々の領域に画面（インターフェース）を表示する。
【００３２】
すなわち、人物Ｃが存在する位置ｂと人物Ａの位置ａとの間の位置ｃ、人物Ｃが存在する位置ｂと人物Ｂの位置ａ’との間の位置ｄ、のそれぞれとスクリーンの中心Ｏとを結ぶ曲線ｃ−Ｏ、曲線ｄ−Ｏという分割線（太い鎖線）が出来る。
図６（ｂ）の曲線ｂ−ｂ’のうちの曲線ｂ−Ｏは、分割線ではなくなるが、曲線ｂ’−Ｏは分割線のままである。
【００３３】
そして、曲線ｂ’−Ｏと曲線ｃ−Ｏとの間の領域Ｒ１−Ｒ３は人物Ａに対する画像（インターフェース）が表示され、曲線ｃ−Ｏと曲線ｄ−Ｏとの間の領域Ｒ４、Ｒ５は人物Ｃに対する画像（インターフェース）が表示され、曲線ｄ−Ｏと曲線ｂ’−Ｏとの間の領域Ｒ６−Ｒ８は人物Ｂに対する画像（インターフェース）が表示される。
すなわち、人数が増えた場合、人数分の画像（インターフェース）が、それぞれの人の正面に位置するように表示される。
【００３４】
ここで、画像撮影部４０は画像表示装置１の外周を観察し、人物検出部５１ｂは、その観察画像に基づく人物の検出を継続して行なっている。図６（ａ）の場合において、この人物Ａが離席し、計時部５１ｅにより計測された人物Ａの離席時間が所定時間を超えた場合、スクリーンセーバ制御部５１ｄは、図６（ｂ）に示すように、スクリーン２０の全領域すなわちＲ１〜Ｒ８の領域においてスクリーンセーバを起動する。以下、図面において、スクリーンセーバが動作している部分を斜線で示す。
スクリーンセーバを起動した後も画像撮影部４０による人物の検出は継続して行なわれている。そして、再度、人物Ａが現れた場合、人物検出部５１ｂはその出現を検出し、スクリーンセーバ制御部５１ｄはスクリーンセーバを中止して、図６（ａ）の状態に戻る。
【００３５】
図６（ｃ）の場合は、スクリーンを観察している人物は人物Ａと人物Ｂとの二人であるが、例えばそのうちの一人の人物Ａが所定時間離席した場合、人物検出部５１ｂはそれを画像撮影部４０の画像解析に基づいて検出する。そうすると、スクリーンセーバ制御部５１ｄは、図６（ｄ）に示すように、人物Ａの表示領域すなわちＲ１〜Ｒ４の領域においてスクリーンセーバを起動する。
【００３６】
この場合も、スクリーンセーバを起動した後も画像撮影部４０による人物の検出は継続して行なわれている。そして、再度、人物Ａが現れた場合にはスクリーンセーバを中止して、図６（ｃ）の状態に戻る。
なお、スクリーンセーバ起動後に一定時間経過しても人物が現れなかった場合、立ち去った人物Ａに向いていた表示内容は消去され、画像処理部５１ａは、残った人物Ｂ向けの表示画面と領域の境界が新たに設定し直してもよい。
また、人物の位置のみならず、人物検出部５１ｂにおいて人物の個人判別が可能な構成においては、人物Ａが立ち去った後に別の人物が現れた場合、画像処理部５１ａは、人物Ａ向けの表示内容を消去し、新たな人物向けの表示を行うようにしてもよい。
【００３７】
図６（ｅ）の場合は、スクリーンを観察している人物は人物Ａと人物Ｂと人物Ｃとの三人であるが、例えば、人物Ａが所定時間離席した場合、人物検出部５１ｂはそれを画像撮影部４０の画像解析に基づいて検出する。そうすると、スクリーンセーバ制御部５１ｄは、図６（ｆ）に示すように、人物Ａの表示領域すなわちＲ１〜Ｒ３の領域においてスクリーンセーバを起動する。
【００３８】
なお、スクリーンセーバ起動後に一定時間経過しても人物が現れなかった場合、立ち去った人物Ａに向いていた表示内容を消去し、領域分割部５１ｃにより残った人物Ｂ向けの表示画面と領域の境界を新たに設定し直してもよい。
また、人物の位置のみならず、人物検出部５１ｂにおいて人物の個人判別が可能な構成においては、人物Ａが立ち去った後に別の人物が現れた場合、画像処理部５１ａは、人物Ａ向けの表示内容を消去し、新たな人物向けの表示を行うようにしてもよい。
【００３９】
なお、人物が２人、所定時間離席した場合、スクリーンセーバ制御部５１ｄは、その離席した人物の表示領域においてスクリーンセーバを起動する。そして、一人だけ戻った場合はその部分のみ画像が表示され、他の部分のスクリーンセーバは継続される。
【００４０】
以上、本実施形態によると、一つの全周囲表示装置を複数の領域にわけ、各領域を使用している利用者が立ち去ったことに連動して各領域にそれぞれ独立にスクリーンセーバを起動するように構成したため、利便性が向上する。
【００４１】
（第２実施形態）
次に、本発明の第２実施形態について説明する。
第２実施形態基本的な構造は第１実施形態と同様である。第１実施形態と異なるのは、スクリーン２０Ａが平面である点である。また画像撮影部は、第１実施形態と同様に、スクリーン２０Ａ中央に設けても良く、また、筐体の内部に画像撮影部を備え、スクリーン２０Ａの隙間から人物を撮影して検知するような構造であっても良い。
【００４２】
図７は第２実施形態におけるスクリーン２０Ａの表示状態を示した図である。
図７（ａ）は、人物Ａが一人観察している場合のスクリーン２０Ａの表示例である。この場合、人物Ａに最も近いスクリーン上の位置ａを中心として画像（インターフェース）を１組表示される。
【００４３】
画像撮影部４０は画像表示装置１の外周を観察し、人物検出部５１ｂは、その観察画像に基づく人物の検出を継続して行なっている。ここで、人物Ａが離席し、計時部５１ｅにより計測された人物Ａの離席時間が所定時間を超えた場合、スクリーンセーバ制御部５１ｄは、図７（ｂ）に示すように、スクリーン２０Ａの全領域においてスクリーンセーバを起動する。
スクリーンセーバを起動した後も画像撮影部４０による人物の検出は継続して行なわれている。そして、再度、人物Ａが現れた場合にはスクリーンセーバを中止して、図７（ａ）の状態に戻る。
【００４４】
図７（ｃ）は、人物Ａの他に、画像表示装置１を挟んで人物Ａと対面する人物Ｂが、スクリーン２０Ａを観察している場合である。
この場合、スクリーン２０Ａは人物ｂＡ側とＢ側とで２分割される。分割されたＡ側の領域には、人物Ａに対する画像（インターフェース）が表示され、分割されたＢ側の領域には、人物Ｂに対する画像（インターフェース）が表示される。
【００４５】
ここで、人物Ｂが所定時間離席した場合、人物検出部５１ｂはそれを画像撮影部４０の画像解析に基づいて検出する。そうすると、スクリーンセーバ制御部５１ｄは、図７（ｄ）に示すように、人物Ｂの表示領域においてスクリーンセーバを起動する。
【００４６】
図７（ｅ）は、人物Ａと人物Ｂがスクリーンを観察しているときに、人物Ｃが人物Ａと人物Ｂとの間の位置ｂ’に加わった場合の表示例である。
この場合、スクリーンは３分割される。図７（ｃ）の状態より狭くなったＡ側の領域に、人物Ａに対する画像（インターフェース）が表示され、図７（ｃ）の状態より狭くなったＢ側の領域に人物Ｂに対する画像（インターフェース）が表示される。そして、Ｃ側の領域には、人物Ｃに対する画像（インターフェース）が表示される。
【００４７】
ここで、人物Ｂ，Ｃが所定時間離席した場合、人物検出部５１ｂはそれを画像撮影部４０の画像解析に基づいて検出する。そうすると、スクリーンセーバ制御部５１ｄは、図７（ｆ）に示すように、人物Ｂ，Ｃの表示領域においてスクリーンセーバを起動する。
【００４８】
以上、第２実施形態においても、第１実施形態と同様に、一つの全周囲表示装置を複数の領域にわけ、各領域を使用している利用者が立ち去ったことに連動して各領域にそれぞれ独立にスクリーンセーバを起動するように構成したため、利便性が向上する。
【００４９】
（変形形態）
なお、実施形態及び変形形態は、適宜組み合わせて用いることもできるが、詳細な説明は省略する。また、本発明は以上説明した実施形態によって限定されることはない。
（１）第１実施形態では、スクリーン表面を８つの領域に分割したが、これに限定されず、８以上でも、また８以下であってもよい。
（２）本実施形態では、半球状又は平面のスクリーンについて説明したが、これに限定されず、他の形状、例えば円錐、円柱、角柱、多面体等どのような形状であっても良い。
【符号の説明】
【００５０】
Ｒ：分割領域、１：画像表示装置、１０：表示部、２０：スクリーン、２０Ａ：スクリーン、２１：タッチパネル、３０：画像投影部、３１：投影レンズ、３２：表示素子、５０：制御装置、５１：制御回路、５１ａ：画像処理部、５１ｂ：人物検出部、５１ｃ：領域分割部、５１ｄ：スクリーンセーバー部、５１ｅ：計時部、１０１：スイッチ
【図１】
2014048565.tif 000003
【図２】
2014048565.tif 000004
【図３】
2014048565.tif 000005
【図４】
2014048565.tif 000006
【図５】
2014048565.tif 000007
【図６】
2014048565.tif 000008
【図７】
2014048565.tif 000009